(57)【特許請求の範囲】
【請求項１】
放送についての受信信号から該放送が現在放送中である番組についての識別子データと共に代替周波数データを抽出するデータ抽出手段、
番組を現在、出力中の放送を第１放送と呼び、該第１放送の代替周波数データから取得した代替周波数の放送を第２放送と呼ぶことにして第２放送探索期間では第１及び第２のチューナ部にそれぞれ第１放送及び第２放送を選局させるとともに第１のチューナ部の出力を番組出力に使用する選局制御手段、  
第１放送の受信信号の品質を検出する第１放送品質検出手段、
第２放送の受信信号の品質を検出する第２放送品質検出手段、及び
第１放送の受信信号の品質が第１のレベル未満でありかつ第２放送の受信信号の品質が第１のレベル以上でありかつ直近の過去一定期間内に抽出した第２放送についての識別子データの識別子が第１放送で現在放送中の番組の識別子と同一である場合には、第２放送を第１放送にする第１放送更新を行う第１放送更新手段を備え、
前記第１放送更新手段は、第１放送の番組の識別子が変化した時刻を検出し、前記過去一定期間の開始時刻を該検出した時刻に基づき設定することを特徴とする放送受信機。
【発明の詳細な説明】
【技術分野】
【０００１】
本発明は、例えばＲＤＳ（Radio Data System）のような放送に対応する放送受信機に関する。
【背景技術】
【０００２】
特許文献１はＲＤＳ受信機について開示する。該ＲＤＳ受信機は、メインとサブとの２つのチューナ部を装備し、メインチューナ部で選局中のＲＤＳ放送の電界強度がしきい値よりも低くなると、スピーカからの出力をメインチューナ部で選局中のＲＤＳ放送に固定するとともに、サブチューナ部で代替周波数放送のシークを実施し、サブチューナ部において、電界強度が所定値以上でかつメインチューナ部で選局中の番組と同一の番組を放送中のＲＤＳ放送が見付かれば、その見付かったＲＤＳ放送へメインチューナ部の選局を切替えている（特許文献１図３の４１ＮＯ→５０ＹＥＳ→５１ＹＥＳ→５２）。
【先行技術文献】
【特許文献】
【０００３】
【特許文献１】特開平５−７５３９７号公報
【発明の概要】
【発明が解決しようとする課題】
【０００４】
ＲＤＳ放送信号に含まれているデータの抽出は、ＦＭ復調処理後、さらに、ＲＤＳ復調処理を経なければならず、時間がかかる。特許文献１のＲＤＳ受信機では、サブチューナ部を代替ＲＤＳ放送の周波数に同調させるとともに、該代替ＲＤＳ放送で現在放送中の番組の識別子データを抽出し、該識別子データの識別子と、メインチューナ部の放送中の番組の識別子とが一致することを調べてから、メインチューナ部を代替ＲＤＳ放送へ切替えるので、メインチューナ部で選局中のＲＤＳ放送の品質が低下してから、代替ＲＤＳ放送へ切替わるまでの時間が延ばされ、低品質のＲＤＳ放送の出力期間が長引いてしまう。
【０００５】
本発明の目的は、現在出力中の放送と同一番組放送中の別の放送への切替必要時の切替時間を短縮することができる放送受信機を提供することである。
【課題を解決するための手段】
【０００６】
番組（プログラム）を現在、出力中の放送を第１放送と呼び、該第１放送の代替周波数データから取得した代替周波数の放送を第２放送と呼ぶことにする。本発明によれば、第２放送探索期間では、第１及び第２のチューナ部にそれぞれ第１放送及び第２放送を選局させるとともに、第１のチューナ部の出力を番組出力に使用する。また、第１放送及び第２放送の受信信号の品質を調べ、第１放送及び第２放送の受信信号の品質がそれぞれ低及び高であり、かつ車両の移動に基づき設定された直近の過去一定期間における第２放送の抽出済み識別子データの識別子が、現在の第１放送の番組の識別子と同一であれば、第２放送の現在の番組の識別子の検出を省略して、直ちに第２放送を第１放送にする。
【０００７】
上記課題を解決するために本発明は、放送についての受信信号から該放送が現在放送中である番組についての識別子データと共に代替周波数データを抽出するデータ抽出手段、番組を現在、出力中の放送を第１放送と呼び、該第１放送の代替周波数データから取得した代替周波数の放送を第２放送と呼ぶことにして第２放送探索期間では第１及び第２のチューナ部にそれぞれ第１放送及び第２放送を選局させるとともに第１のチューナ部の出力を番組出力に使用する選局制御手段、第１放送の受信信号の品質を検出する第１放送品質検出手段、第２放送の受信信号の品質を検出する第２放送品質検出手段、及び第１放送の受信信号の品質が第１のレベル未満でありかつ第２放送の受信信号の品質が第１のレベル以上でありかつ直近の過去一定期間内に抽出した第２放送についての識別子データの識別子が第１放送で現在放送中の番組の識別子と同一である場合には、第２放送を第１放送にする第１放送更新を行う第１放送更新手段を備え、前記第１放送更新手段は、第１放送の番組の識別子が変化した時刻を検出し、前記過去一定期間の開始時刻を該検出した時刻に基づき設定することを特徴とする放送受信機を提供する。
【発明の効果】
【０００８】
本発明によれば、代替周波数の第２放送について直近の過去一定期間に抽出した番組識別子が、第１放送の現在の番組識別子に一致していれば、第２放送の現在の番組識別子を抽出することなく、直ちに第２放送を第１放送にするので、第１放送の品質低下に対してその第２放送へ番組出力を速やかに切替えることができる。また、第１放送の現在の番組識別子と照合する第２放送の番組識別子は、該第２放送が直近の過去一定期間に放送していた番組のものであるので、第１放送の現在の識別子との一致性は十分に保証され、第２放送への切替えの成功率は十分高いものを保証することができる。
【図面の簡単な説明】
【０００９】
【図１】ダイバーシティＲＤＳラジオのブロック図である。
【図２】図１のダイバーシティＲＤＳラジオに適用する制御方法のフローチャートである。
【図３】フェーズダイバーシティＲＤＳラジオのブロック図である。
【図４】図３のフェーズダイバーシティＲＤＳラジオに適用する制御方法のフローチャートである。
【図５】放送受信機のブロック図である。
【図６】放送受信機制御方法のフローチャートである。
【発明を実施するための形態】
【００１０】
図１はダイバーシティＲＤＳラジオ１０のブロック図である。ダイバーシティＲＤＳラジオ１０は、典型的には車両に搭載され、メインチューナ部１２ａ及びサブチューナ部１２ｂを備えている。メインチューナ部１２ａ及びサブチューナ部１２ｂは構成が同一であるので、メインチューナ部１２ａ及びサブチューナ部１２ｂの対応素子の符号については、数字部を同一にし、添え字をそれぞれａ，ｂとし、構成はメインチューナ部１２ａのもののみ説明する。
【００１１】
ＲＤＳ放送の電波は、アンテナ１５ａにおいて捕捉され、ＲＦ信号としてアンテナ１５ａからＦ／Ｅ（フロントエンド）１６ａへ供給される。Ｆ／Ｅ１６ａは、制御部２９から選局指示のあったＲＤＳ局の周波数のＲＦ信号をＩＦ信号へ変換する。アンプ１７ａからのＩＦ信号は、アンプ１７ａにおいて増幅されてから、ＡＤＣ（アナログ／デジタル変換器）１８ａへ供給され、ＡＤＣ１８ａにおいてアナログ形式からデジタル形式の信号へ変換され、ＩＦフィルタ１９ａへ供給される。
【００１２】
ＩＦフィルタ１９ａは、ＡＤＣ１８ａからのデジタル信号から制御部２９からの制御信号に応じた周波数帯域成分を抽出して、ＦＭ復調器２０ａへ送る。ＦＭ復調器２０ａは、ＩＦ信号に対してＦＭ復調処理を実施し、ＦＭ復調信号は受信状況検出器２１ａ、ＲＤＳ復調器２２ａ及びＦＭ処理器２３ａへ供給される。受信状況検出器２１ａは、Ｆ／Ｅ１６ａで選局したＲＤＳ放送の受信状態の良否を、例えばＲＤＳ放送の受信信号の電界強度に基づき検出する。
【００１３】
ＲＤＳ復調器２２ａは、ＦＭ復調器２０ａからのＦＭ復調信号に対してさらにＲＤＳ復調・同期及びエラー訂正等の各種処理を実施し、これにより、ＲＤＳ放送の受信信号にオーディオ信号と共に含まれているデータ信号からデータを抽出する。該データには、例えばＰＩ（番組識別子）、ＰＳ（放送局名表示）、ＰＴＹ（ジャンルの識別コード）、ＥＯＮ（他ネットワーク情報＝代替周波数情報）、ＴＰ（交通情報の放送予定の有無情報）、ＴＡ（交通情報の放送中か否かの情報）、ＲＴ（Ｍａｘ６４文字までの文字データ）、ＣＴ（時計情報）がある。
【００１４】
制御部２９は、受信状況検出器２１ａ及びＲＤＳ復調器２２ａからの入力信号に基づき受信状況、ＲＤＳ復調データ、ＲＤＳ復調品質等を判断し、判断結果に基づきＦＭ処理器２３ａへミュート、ステレオブレンド、ハイカット、ディエンファシスについての指示を出す。ＦＭ処理器２３ａの出力は出力セレクタ３０へ供給される。
【００１５】
出力セレクタ３０は、制御部２９からの制御信号に基づきメインチューナ部１２ａ及びサブチューナ部１２ｂのいずれかからの入力を選択して、ＤＡＣ（デジタル／アナログ変換器）３１へ送る。ＤＡＣ３１は、出力セレクタ３０からのデジタルのオーディオ信号をアナログのオーディオ信号へ変換して、スピーカ３２へ送る。スピーカ３２は、入力されたオーディオ信号をオーディオへ変換して、出力する。
【００１６】
図２は図１のダイバーシティＲＤＳラジオ１０に適用するＲＤＳラジオ制御方法４５のフローチャートである。ＲＤＳラジオ制御方法４５はダイバーシティＲＤＳラジオ１０の制御部２９において実施される。Ｓ４６，Ｓ４７は、ＡＦ（Alternative Frequency：代替周波数）サーチしない期間、すなわちダイバーシティ期間の処理に関する。ダイバーシティ期間では、メインチューナ部１２ａ及びサブチューナ部１２ｂは、同一のＲＤＳ放送を選局している。
【００１７】
Ｓ４６では、メインチューナ部１２ａ及びサブチューナ部１２ｂで選局中のＲＤＳ放送の受信状態を監視する。Ｓ４６，Ｓ４７の実施時は、ダイバーシティ期間であるので、メインチューナ部１２ａ及びサブチューナ部１２ｂで選局中のＲＤＳ放送は同一である。ＲＤＳ放送の受信状態とは、具体的には、該ＲＤＳ放送の受信信号の品質のことであり、受信信号の品質が高いほど、該受信信号に係るスピーカ３２からのオーディオの品質は高くなる。受信信号の品質は、例えば受信状況検出器２１ａ，２１ｂで検出される受信信号のＲＳＳＩ（Receiving Signal Strength Indicator：電界強度）が高いときほど、又はＲＤＳ復調器２２ａ，２２ｂで検出されるエラーレートが低いときほど、高い。
【００１８】
Ｓ４７ではメインチューナ部１２ａ及びサブチューナ部１２ｂの内、受信信号についての受信状態（受信信号の品質）が良い方の出力を出力セレクタ３０において選択させ、そのオーディオ信号に係るオーディオをスピーカ３２から流す。
【００１９】
Ｓ４８では、ＡＦ（代替周波数）サーチするか否かを判定し、判定が正であれば、Ｓ４９へ進み、否であれば、Ｓ４６へ戻る。ＡＦサーチする場合として、例えば、（ａ）ダイバーシティ期間において、アンテナ１５ａ，１５ｂの内、受信信号の品質の高い方の品質が所定レベルＡ１以下になった場合、（ｂ）アンテナ１５ａ，１５ｂの両方の受信信号の品質が共に所定レベルＡ２以下になった場合、又は（ｃ）前回のＡＦサーチから所定時間以上が経過した時、等を設定することができる。
【００２０】
Ｓ４９では、メインチューナ部１２ａ及びサブチューナ部１２ｂの出力の内、出力セレクタ３０において選択していない方のチューナ部、すなわち受信信号の品質が低い方のチューナ部における選局をＡＦ局（代替周波数局）へ切替える。ここで、ＡＦ局切替前のＲＤＳ放送局を、すなわちダイバーシティ受信していたＲＤＳ放送局を「元局」と呼ぶことにする。
【００２１】
Ｓ５０では、メインチューナ部１２ａ及びサブチューナ部１２ｂにおけるＲＤＳ放送の受信状態を監視する。Ｓ５１では、元局の受信品質、すなわち元局の受信信号の品質が一定値以下であるか否かを判定し、判定が正であれば、Ｓ５２へ進み、否であれば、Ｓ６５へ進む。
【００２２】
Ｓ５１からＳ５２へ進む場合は、元局の受信信号の品質が悪化しているので、もし好ましいＡＦ局があれば、スピーカ３２からの出力を該ＡＦ局のオーディオへ切替える必要がある場合である。したがって、以降のＳ５２〜Ｓ５５では、それに対応する処理が行われる。
【００２３】
Ｓ５１からＳ６５へ進む場合に、Ｓ６５経由の後述のＳ６７でスピーカ３２からの出力を元局の番組からＡＦ局の番組へ切替えるようになっている。該Ｓ６７における切替は、Ｓ６６でＡＦ局の現在の番組のＰＩ（Program Identity：番組識別子）コードを確認してからの切替であり、その際、切替前の元局は切替後のＡＦ局となるので、ＡＦ局に対応付けてＰＩコードをＡＦリスト情報に追加することができる。ＡＦリスト情報は、元局の受信状態が悪化して、Ｓ５３，Ｓ５４で過去一定時間内のＰＩコードを使用する際に、参照するので、元局の受信信号の品質が良好であるにもかかわらず、ＡＦ局へ切替えることはＡＦリスト情報を最新化かつ豊富化に役立てることができる。
【００２４】
なお、Ｓ５１からＳ６５へ進む場合は、元局の受信信号の品質が良好であるので、ＡＦリスト情報へＰＩコードの追加のみに留め、Ｓ６７におけるＡＦ局への切替は省略してもよい。また、Ｓ５１否である場合は、Ｓ６５へ進むことなく、直ちにＳ４６へ戻すようにしてもよい。
【００２５】
Ｓ５２では、ＡＦ局からの受信信号の品質が一定値以上であるか否かを判定し、判定が正であれば、Ｓ５３へ進み、判定が否であれば、Ｓ４６へ戻る。判定が否である場合に、Ｓ４６へ戻るのは、ＡＦ局からの受信信号の品質が悪ければ、ＡＦ局へ切替えることに意味がないからである。Ｓ５２においてＡＦ局の受信信号の品質と対比する一定値は、一般的には、Ｓ５１において元局の受信信号の品質と対比する一定値より少し高くされる。
【００２６】
Ｓ５３では、ＡＦ局は、過去一定時間内に受信して、その番組をスピーカ３２から出力したことがあるものであるか否かを判定し、判定が正であれば、Ｓ５４へ進み、否であれば、Ｓ６６へ進む。Ｓ５３における判定では、ＡＦリストが参照される。該ＡＦリストには、過去一定時間内に受信して出力したＡＦ局、その時のＰＩコード及び受信時刻が相互に対応付けられて記録されている。該ＡＦリストには、さらに、ＡＦ局のその時の受信電界強度も記録し、受信電界強度でＡＦ局をソーティングしておくこともできる。そして、Ｓ５３，Ｓ５４の判定では、受信電界強度が高いＡＦ局のものから順番に対比し、該当するＡＦ局をｓ５５で選択することができる。
【００２７】
過去一定時間は、ダイバーシティＲＤＳラジオ１０が搭載される自動車の移動も考慮すると、例えば１０分位である。Ｓ５３のＡＦ局が番組をスピーカ３２から出力したＡＦ局であれば、その時に該番組のＰＩコードを抽出しているので、次のＳ５４の判定が可能となる。なお、ダイバーシティＲＤＳラジオ１０は、スピーカ３２から出力したＲＤＳ放送局の番組については、そのＰＩコードを一定時間以上、記憶することにしている。
【００２８】
Ｓ５４では、ＡＦ局がその番組を過去一定時間内にスピーカ３２から出力した時にその受信信号から抽出した該番組のＰＩコードと、元局の現在の番組のＰＩコードとが一致するか否かを判定し、判定が正であれば、Ｓ５５へ進み、否であれば、Ｓ６６へ進む。
【００２９】
Ｓ５５では、出力セレクタ３０における入力選択を、メインチューナ部１２ａ及びサブチューナ部１２ｂの内でＡＦ局を選局している方のチューナ部へ切替える。ＡＦ局で現在放送中の番組のＰＩコードを抽出するためには、ＲＤＳ復調器２２ａ又は２２ｂにおけるＲＤＳ復調処理が必要であり、この処理には時間がかかる。しかし、Ｓ５５における出力番組について元局からＡＦ局への切替は、ＡＦ局で現在放送中の番組のＰＩコードが元局で現在放送中の番組のＰＩコードと一致するかを判定することなく、すなわちＡＦ局で現在放送中の番組のＰＩコードの抽出を待たずに、実施される。したがって、スピーカ３２からの元局の番組の出力品質が悪化した場合に、速やかにＡＦ局の番組へ切替えることができる。また、該ＡＦ局は、過去一定時間に選局したＡＦ局であって、その時のＰＩコードが元局の現在の番組のＰＩコードと一致する場合に限り、スピーカ３２からの出力をＡＦ局の番組へ切替えるので、過去一定時間を適切に設定することにより、番組不一致のＡＦ局へ切替えられることは十分に回避される。
【００３０】
Ｓ５５では、さらに、メインチューナ部１２ａ及びサブチューナ部１２ｂの内でＡＦ局を選局していなかった方のチューナ部の選局もＡＦ局へ切替えてから、Ｓ４６へ戻る。すなわち、ダイバーシティＲＤＳラジオ１０をダイバーシティ受信に切替えてから、Ｓ４６へ戻る。
【００３１】
Ｓ６５では、ＡＦ局の受信信号の品質が一定値以上であるか否かを判定する。そして、判定が正であれば、Ｓ６６へ進み、否であれば、Ｓ４６へ戻る。Ｓ６５における一定値は、Ｓ５１で元局の受信信号の品質を判定した一定値と同一に設定してもよいし、元局の受信信号の現在の品質と等しい値に設定してもよい。前者の場合には、Ｓ６７における元局からＡＦ局へのスピーカ３２からの出力切替は、元局及びＡＦ局共に、それらの受信信号が一定値としての基準品質を満たしている期間に実施されるのに対し、後者の場合には、Ｓ６７における元局からＡＦ局へのスピーカ３２からの出力切替は、元局及びＡＦ局の受信信号が一定値としての基準品質を満たしているか否かに関係なく、ＡＦ局の受信信号の品質が元局の受信信号の品質以上であれば、実施されることになる。
【００３２】
Ｓ６６では、ＡＦ局で現在放送中の番組について該ＡＦ局の受信信号から抽出したＰＩコードは元局で現在放送中の番組のＰＩコードと一致するか否かを判定し、判定が正であれば、Ｓ６７へ進み、否であれば、Ｓ７０へ進む。なお、前述したように、ＲＤＳ放送の受信信号からのＰＩコードの抽出処理には時間（例：数百ｍｓｅｃ）がかかり、該処理が終了するまでは、ＰＩコードが未定状態になって、Ｓ６６の判定が否となる。
【００３３】
Ｓ６７では、Ｓ５５の場合と同様に、出力セレクタ３０における入力選択を、メインチューナ部１２ａ及びサブチューナ部１２ｂの内でＡＦ局を選局している方へ切替える。切替後、Ｓ４６へ進む。
【００３４】
Ｓ７０では、Ｓ４９で一方のチューナ部でのＡＦ局の選局開始した後、一定時間が経過したか否かを判定し、判定が正であれば、Ｓ７１へ進み、否であれば、Ｓ６６へ戻る。Ｓ７０における一定時間とは、ＲＤＳ放送の受信信号からのＰＩコードの抽出処理に要する時間であり、例えば約５００ｍｓｅｃである。
【００３５】
Ｓ７０からＳ７１へ進む場合とは、ＡＦ局の受信信号からのＰＩコードの検出が終わり、かつＳ６６において、検出したＡＦ局の番組のＰＩコードと、元局の番組のＰＩコードとが不一致であると判明した場合である。したがって、この場合には、元局の番組とＡＦ局の番組とは相互に異なるので、スピーカ３２からの出力をＡＦへ切替えることは取り止めるとともに、Ｓ７１では、ＡＦ局を選局していた受信信号の選局を元局へ戻す。そして、再び、ダイバーシティ処理を行うために、Ｓ７１からＳ８１へ戻る。
【００３６】
図３はフェーズダイバーシティＲＤＳラジオ３５のブロック図である。フェーズダイバーシティＲＤＳラジオ３５の要素の内、ダイバーシティＲＤＳラジオ１０の要素と同一のものについては、ダイバーシティＲＤＳラジオ１０の要素と同一の符号で指示して、説明は省略し、相違点についてのみ説明する。
【００３７】
フェーズダイバーシティＲＤＳラジオ３５では、メインチューナ部１２ａ及びサブチューナ部１２ｂは、ＩＦセレクタ３９により帯域制限されたＩＦ信号を生成するＩＦフィルタ１９ａ，１９ｂまでの前半の要素部と、該ＩＦ信号をＦＭ復調するＦＭ復調器２０ａ，２０ｂからの後半の要素部とに分割される。ＭＰ除去器３８は、ＩＦフィルタ１９ａ，１９ｂの出力を供給され、該出力の位相差に基づきマルチパスを除去した合成ＩＦ信号を生成して、ＩＦセレクタ３９へ出力している。ＩＦセレクタ３９は、ＩＦフィルタ１９ａ，１９ｂ及びＭＰ除去器３８の３個からの入力とＦＭ復調器２０ａ，２０ｂへの２個の出力との間の信号路の切替を制御する。
【００３８】
図４は図３のフェーズダイバーシティＲＤＳラジオ３５に適用するＲＤＳラジオ制御方法８０のフローチャートである。ＲＤＳラジオ制御方法８０はフェーズダイバーシティＲＤＳラジオ３５の制御部２９において実施される。ＲＤＳラジオ制御方法８０のステップにおいて、ＲＤＳラジオ制御方法４５（図２）のステップと同一の処理を実施するものは、ＲＤＳラジオ制御方法４５の対応ステップと同一の符号を付けて、それらの説明は省略し、相違点について述べる。ＲＤＳラジオ制御方法８０では、ＲＤＳラジオ制御方法４５のＳ４６〜Ｓ５０がＳ８１〜Ｓ８４に置き換えられ、ＲＤＳラジオ制御方法４５のＳ５５，Ｓ６７，Ｓ７１がＳ８７，Ｓ８８，Ｓ８９に置き換えられている。
【００３９】
Ｓ８１はフェーズダイバーシティ処理に関する。フェーズダイバーシティ期間では、Ｆ／Ｅ１６ａ，１６ｂは同一のＲＤＳ放送の周波数に同調している。ＩＦセレクタ３９は、ＭＰ除去器３８及びＩＦフィルタ１９ｂからの入力をそれぞれＦＭ復調器２０ａ，２０ｂへ接続し、出力セレクタ３０はＦＭ処理器２３ａからの入力をＤＡＣ３１へ供給している。したがって、スピーカ３２から出力される番組のオーディオは、フェーズダイバーシティ期間では、マルチパスに起因するノイズを除去されたものとなる。Ｓ８１では、ＦＭ復調器２０ａ，２０ｂにおいてそれぞれ合成ＩＦ信号及びサブチューナ部１２ｂのＩＦフィルタ１９ｂからのＩＦ信号の受信状態を監視する。
【００４０】
Ｓ８２では、ＡＦサーチするか否かを判定し、判定が正であれば、Ｓ８３へ進み、否であれば、Ｓ８１へ戻る。ＡＦサーチする場合として、例えば、（ａ）フェーズダイバーシティ期間に、受信状況検出器２１ａ，２１ｂにおいてそれぞれ検出した受信状態としての対応受信信号の内、品質が高い方が所定レベルＢ１以下になった場合、（ｂ）両対応受信信号の品質が共に所定レベルＢ２以下になった場合、又は（ｃ）前回のＡＦサーチから所定時間以上が経過した時、等を設定することができる。さらに、後述のＭＰ（マルチパス）除去器３８の稼動率を監視し、（ｄ）ＲＤＳ放送への切替が不要であっても、ＭＰ除去器３８の稼働率が低い時にＡＦサーチを適宜実施するようにしてもよい。（ｄ）の場合には、ＡＦサーチの適宜の実施により有用なＡＦリスト情報を蓄積することができる。
【００４１】
Ｓ８３では、ＩＦセレクタ３９において、ＩＦフィルタ１９ａ，１９ｂからの入力をそれぞれＦＭ復調器２０ａ，２０ｂへ供給する。そして、受信状況検出器２１ａ，２１ｂの検出に基づきメインチューナ部１２ａ及びサブチューナ部１２ｂの内、受信状態の良い方及び悪い方を検出し、Ｓ８３では、メインチューナ部１２ａ及びサブチューナ部１２ｂの内、受信状態の良い方のチューナ部には元局を選局させ、受信状態の悪い方のチューナ部には選局を元局からＡＦ局へ切替える。また、ＩＦセレクタ３９における切替とともに、出力セレクタ３０において、メインチューナ部１２ａ及びサブチューナ部１２ｂの内、元局を選局している方からの入力をＤＡＣ３１へ供給させる。Ｓ８４では、元局及びＡＦ局の受信信号について受信状態、すなわち受信信号の品質を監視する。
【００４２】
Ｓ８７では、元局を選局しているチューナ部にもＡＦ局を選局させるとともに、ＩＦセレクタ３９には、ＭＰ除去器３８からの合成ＩＦ信号及びＩＦフィルタ１９ｂからのＩＦ信号をそれぞれＦＭ復調器２０ａ，２０ｂへ供給させ、出力セレクタ３０には、ＦＭ処理器２３ａからの入力信号をＤＡＣ３１へ供給させる。すなわちフェーズダイバーシティに戻してから、Ｓ４６へ戻る。なお、図４には、Ｓ８７及び後述のＳ８８，Ｓ８９について"ｐａｔｈ１"，"ｐａｔｈ２"が記載されているが、ＭＰ除去器３８においてそれぞれＦＭ復調器２０ａ，２０ｂへ接続する方の信号路をそれぞれ"ｐａｔｈ１"，"ｐａｔｈ２"と定義している。
【００４３】
Ｓ８８では、Ｓ８７と同一の処理を実施する。Ｓ８９では、メインチューナ部１２ａ及びサブチューナ部１２ｂの内、Ｓ８３でＡＦ局へ切替えられた方の選局をＡＦ局から元局へ切替えるとともに、ＩＦセレクタ３９には、ＭＰ除去器３８からの合成ＩＦ信号及びＩＦフィルタ１９ｂからのＩＦ信号をそれぞれＦＭ復調器２０ａ，２０ｂへ供給させ、出力セレクタ３０には、ＦＭ処理器２３ａからの入力信号をＤＡＣ３１へ供給させる。
【００４４】
図５は放送受信機１００のブロック図である。放送受信機１００の具体例はダイバーシティＲＤＳラジオ１０及びフェーズダイバーシティＲＤＳラジオ３５である。放送受信機１００は、車載型に限定されない。放送受信機１００は、また、ＲＤＳ放送受信機にも限定されない。ＲＤＳ放送以外でも、番組のオーディオと共に、該番組についての識別子や、代替周波数の情報を流す形式の放送であればよい。放送受信機１００は、さらに、ラジオ放送だけでなく、テレビ放送の受信機であってもよい。放送受信機１００は、データ抽出手段１０１、選局制御手段１０２、第１放送品質検出手段１０３、第２放送品質検出手段１０４及び第１放送更新手段１０５を備えている。
【００４５】
データ抽出手段１０１は、放送についての受信信号から該放送が現在放送中である番組についての識別子データと共に代替周波数データを抽出する。番組を現在、出力中の放送を第１放送と呼び、該第１放送の代替周波数データから取得した代替周波数の放送を第２放送と呼ぶことにする。選局制御手段１０２は、第２放送探索期間では第１及び第２のチューナ部にそれぞれ第１放送及び第２放送を選局させるとともに、第１のチューナ部の出力を番組出力に使用する。
【００４６】
第１放送品質検出手段１０３は第１放送の受信信号の品質を検出する。第２放送品質検出手段１０４は第２放送の受信信号の品質を検出する。第１放送更新手段１０５は、第１放送の受信信号の品質が第１のレベル未満でありかつ第２放送の受信信号の品質が第１のレベル以上でありかつ直近の過去一定期間内に抽出した第２放送についての識別子データの識別子が第１放送で現在放送中の番組の識別子と同一である場合には、第２放送を第１放送にする第１放送更新を行う。
【００４７】
第１及び第２のチューナ部の具体例はメインチューナ部１２ａ及びサブチューナ部１２ｂの一方及び他方である。放送受信機は、チューナ部を２個装備するものに限定されない。３個以上のチューナ部を装備するものであってもよい。第１放送及び第２放送はＲＤＳラジオ制御方法４５（図２）及びＲＤＳラジオ制御方法８０（図４）における元局及びＡＦ局に対応する。放送受信機１００がチューナ部を２個装備する場合には、第１のチューナ部は、例えば、２個のチューナ部の内、探索期間開始直前において第１放送の受信信号の品質が高い方のチューナ部である。
【００４８】
典型的には、選局制御手段１０２は、第２放送探索期間より前の期間では第１及び第２のチューナ部によるダイバーシティを実施している。したがって、第１及び第２のチューナ部の内、第１放送の受信信号の品質が高いチューナ部はどれであるかの第１放送更新手段１０５による判断は、ダイバーシティ期間における第１及び第２のチューナ部の受信信号の品質についての測定結果を利用することにし、これにより、第１放送更新手段１０５による判断を円滑に行なうことができる。
【００４９】
放送受信機１００によれば、第２放送の現在放送中の番組についての識別子データを抽出することなく、又は抽出を待たずに、第２放送を第１放送にするので、品質悪化した第１放送の番組を速やかに第２放送の番組に切替えることができる。また、第２放送についての識別子データについては、現在のものではなく、直近の過去一定期間内のものであるので、第２放送の現在の番組が第１放送の番組と一致するということは完全には保証されないものの、過去一定期間を適切に設定することにより、第２放送への切替成功率は１００％又はそれに十分近い値とすることができる。
【００５０】
第１放送更新手段１０５は、第１放送の受信信号の品質が第１のレベル以上である期間において、過去一定期間以内の時間間隔で第２放送から抽出した識別子データを収集しておく。この収集は、第１放送の受信信号の品質が良であって、第１放送の番組を出力中に、すなわちユーザには気付かれないように、実施することができる。そして、このような識別子収集により、第１放送更新手段１０５における識別子一致判断に使用する直近の過去一定期間内の第２放送の識別子情報の蓄積が万全となり、第１放送の受信信号の品質が第１のレベル未満になった場合には、円滑に第２放送への切替を実施することができる。
【００５１】
第１放送更新手段１０５は、第１放送の受信信号の品質が第１のレベル以上であっても、第２放送の受信信号の品質が第１のレベル以上であって、現在の第２放送から抽出した識別子データの識別子が現在の第１放送から抽出した識別子データの識別子と同一である場合には、第２放送を第１放送にする第１放送更新を行う。この具体例は、ＲＤＳラジオ制御方法４５（図２）のＳ５１否→Ｓ６５正→Ｓ６６正→Ｓ６７である。このようにして、第１放送の受信信号に品質低下がないにもかかわらず、第１放送を第２放送へ切替えることにより、切替前の第１放送は切替後には第２放送となって、過去一定期間における第２放送の番組識別子情報を十分に蓄積しておくことにし、後の第１放送更新手段１０５における識別子一致判断を円滑化することができる。
【００５２】
第１放送更新手段１０５は、第２放送を第１放送にした後、第２放送の現在の識別子データの識別子が第１放送の識別子データの識別子と不一致であると判明した場合には、第１放送を更新前のものに戻す。直近の過去一定期間の第２放送の識別子が第１放送の現在の識別子と一致したにもかかわらず、第２放送の番組が第１放送の番組と一致しないことが極めてわずかではあるものの、起こり得る。そのような場合には、直ちに第２放送への切替前の状態に戻して、第２放送への切替失敗に適切に対処することができる。
【００５３】
好ましくは、データ抽出手段１０１は、放送についての受信信号から現在放送中の番組についてのジャンルデータを抽出する。第１放送更新手段１０５は、過去一定期間の長さをジャンルデータのジャンルに基づき調整する。ＲＤＳ放送におけるジャンルデータはＰＴＹ（プログラムタイプ）から入手することができる。番組の長さについてニュース、音楽番組、スポーツ実況及びトーク番組等のジャンルに応じておおよその長さがある。したがつて、過去一定期間の長さを現在放送中の番組のジャンルに合わせて調整することにより、第１放送更新手段１０５における識別子一致判断の信頼性を高めることができる。
【００５４】
好ましくは、第１放送更新手段１０５は、第１放送の番組の識別子が変化した時刻を検出し、過去一定期間の開始時刻を該検出した時刻に基づき設定する。第１放送の番組の識別子が変化した時刻は、それ以降の番組の開始時刻に一致する。したがって、過去一定期間の開始時刻を識別子の変化した時刻に基づき調整することにより、過去一定期間を第１放送で現在放送中の個々の番組についての過去放送時間に合わせることにより、第１放送更新手段１０５における識別子一致判断の信頼性を高めることができる。
【００５５】
過去一定期間は、その他、例えば放送受信機１００が搭載される自動車の車速に関係して設定することもできる。過去一定期間は高車速のときほど、短く設定される。
【００５６】
図６は放送受信機制御方法１２０のフローチャートである。放送受信機制御方法１２０は、放送受信機１００に適用され、Ｓ１２１〜１２５を備える。Ｓ１２３，Ｓ１２４の順番は逆であってもよい。
【００５７】
Ｓ１２１では、放送についての受信信号から該放送が現在放送中である番組についての識別子データと共に代替周波数データを抽出する。Ｓ１２２では、第２放送探索期間では第１及び第２のチューナ部にそれぞれ第１放送及び第２放送を選局させるとともに第１のチューナ部の出力を番組出力に使用する。
【００５８】
Ｓ１２３では、第１放送の受信信号の品質を検出する。Ｓ１２４では、第２放送の受信信号の品質を検出する。Ｓ１２５では、第１放送の受信信号の品質が第１のレベル未満でありかつ第２放送の受信信号の品質が第１のレベル以上でありかつ直近の過去一定期間内に抽出した第２放送についての識別子データの識別子が第１放送で現在放送中の番組の識別子と同一である場合には、第２放送を第１放送にする第１放送更新を行う。
【００５９】
Ｓ１２１〜Ｓ１２５の処理は、放送受信機１００（図５）のデータ抽出手段１０１〜第１放送更新手段１０５の機能にそれぞれ対応している。したがって、データ抽出手段１０１〜第１放送更新手段１０５の各機能について述べた具体的態様はＳ１２１〜Ｓ１２５の各処理についての具体的態様としても適用可能である。
【００６０】
本発明を適用したプログラムは、コンピュータを放送受信機１００の各手段として機能させる。本発明を適用した別のプログラムは、放送受信機制御方法１２０の各ステップをコンピュータに実行させる。
【００６１】
本明細書は様々な範囲及びレベルの発明を開示している。それら発明は、本明細書で説明した様々な技術的範囲及び具体的レベルの各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【符号の説明】
【００６２】
１００：放送受信機、１０１：データ抽出手段、１０２：選局制御手段、１０３：第１放送品質検出手段、１０４：第２放送品質検出手段、１０５：第１放送更新手段、１２０：放送受信機制御方法。
【図１】
0005397515.tif 000002
【図２】
0005397515.tif 000003
【図３】
0005397515.tif 000004
【図４】
0005397515.tif 000005
【図５】
0005397515.tif 000006
【図６】
0005397515.tif 000007